(57)【特許請求の範囲】
【請求項１】
情報表示システムであって、
通行路に沿って配置された複数の表示装置に表示させるための、関連する広告を記憶する記憶手段と、
前記複数の表示装置のうちの第１の表示装置付近を撮影する撮影手段により撮影された前記第１の表示装置付近の映像を複数の領域に分割し、該各領域の映像の変化に基づいて各領域の人の存在を判定し、人が存在すると判定された領域が所定数に達すると、前記撮影手段の撮影エリアに人の集団が有ると判定する判定手段と、
前記判定手段により前記第１の表示装置付近に人の集団が有ると判定されると、前記通行路の順路に従った順に、かつ、予め設定されている各表示装置の表示タイミングに従って、前記記憶手段に記憶されている前記関連する広告のうちの各表示装置に対応する広告を前記第１の表示装置及び前記第１の表示装置よりも前記通行路の順路の先に配置された表示装置に表示させる表示手段と、を有することを特徴とする情報表示システム。
【請求項２】
情報表示システムであって、
通行路に沿って配置された複数の表示装置に表示させるための、関連する広告を記憶する記憶手段と、
前記表示装置付近を撮影する撮影手段により撮影された前記表示装置付近の映像を複数の領域に分割し、該各領域の映像の変化に基づいて各領域の人の存在を判定し、人が存在すると判定された領域が所定数に達すると、前記撮影手段の撮影エリアに人の集団が有ると判定する判定手段と、
前記通行路の順路に従った順に、前記記憶手段に記憶されている前記関連する広告のうちの各表示装置に対応する広告を前記表示装置に表示させる表示手段と、を有し、
前記表示手段は、前記広告を表示させる順番の表示装置付近を撮影する撮影手段により撮影された該表示装置付近の撮影エリアに人の集団があると前記判定手段が判定すると、当該表示装置に当該表示装置に対応する広告を表示させることを特徴とする情報表示システム。
【請求項３】
前記表示手段は、前記判定手段により人の集団が有ると判定されると、前記判定手段により人の集団があると判定されない場合に計画的に表示されている広告に割り込んで前記関連する広告を表示させることを特徴とする請求項１または２のいずれかに記載の情報表示システム。
【発明の詳細な説明】
【０００１】
【発明の属する技術分野】
本発明は、情報表示システム及び情報表示方法に関する。
【０００２】
【従来の技術】
商品、サービス等の広告媒体としてはテレビ、ラジオ、雑誌、チラシ、ポスター、インターネット等があり、費用と効果に応じてそれぞれ利用されている。
【０００３】
最近では人通りの多い繁華街のビル壁面に大画面ディスプレイを設置し、それに広告を出すサービスも増えてきている。これらは媒体使用料が高いため主に大企業が利用している。
【０００４】
一方、キオスク端末等、個々の人に情報を提供する端末も駅前等に設置されるようになり、その端末からは大企業の広告に限らず地域の様々な情報が引き出されるようになってきている。
【０００５】
【発明が解決しようとする課題】
前記大画面ディスプレイが設置される場所は、人通りが多く、待ち合わせに適した広場があり、且つ、横断歩道の前にあるビルの壁面が適している。このような場所では広告提供者が努力しなくても常に大勢の人がいて自然とその広告に目をやるので広告宣伝効果が非常にあると言える。
【０００６】
しかしながら、そのような立地条件の良い場所は大都市の一部しかなく、そのような場所での広告費用はテレビのコマーシャルと同様に高価であり、商店等の中小企業或は個人が広告を出せるようなものではない。
【０００７】
今後、商店、個人等が気軽に広告を出せるような地域の広告システムが必要とされており、それを実現するためには地域で最も人通りの多いと思われる駅或は駅周辺にそのようなシステムを配置することが望ましいが、ただ計画的に広告を流していては人が見ていないときにも広告料を支払うことになり、広告主の費用負担が大きくなると言う問題がある。又、通勤等で急いでいる人の足を止めるような方策を考え出さなければならないという課題があった。
【０００８】
１つの方策として、人が少ないときと多いときで広告内容を変更するという方法がある。或は人が少ないときと多いときで広告料金を変更することも考えられる。これを実現するためには人を検知する必要があり、特開平１０−１２７９０４号等、多くの人検知方法が知られているが、何れも１人の人又は動くものを検知するというもので人の多い少ないを判断するものはなかった。
【０００９】
本発明は上記事情に鑑みてなされたもので、その目的とする処は、システムが配置される場所を利用する人に有効な広告等の特定の情報を配信し、広告主等への集客効果を高めることができるようにすることにある。
【００１０】
【課題を解決するための手段】
本発明は、情報表示システムであって、通行路に沿って配置された複数の表示装置に表示させるための、関連する広告を記憶する記憶手段と、前記複数の表示装置のうちの第１の表示装置付近を撮影する撮影手段により撮影された前記第１の表示装置付近の映像を複数の領域に分割し、該各領域の映像の変化に基づいて各領域の人の存在を判定し、人が存在すると判定された領域が所定数に達すると、前記撮影手段の撮影エリアに人の集団が有ると判定する判定手段と、前記判定手段により前記第１の表示装置付近に人の集団が有ると判定されると、前記通行路の順路に従った順に、かつ、予め設定されている各表示装置の表示タイミングに従って、前記記憶手段に記憶されている前記関連する広告のうちの各表示装置に対応する広告を前記第１の表示装置及び前記第１の表示装置よりも前記通行路の順路の先に配置された表示装置に表示させる表示手段と、を有することを特徴とする情報表示システムを提供する。
【００１４】
また、情報表示システムであって、
通行路に沿って配置された複数の表示装置に表示させるための、関連する広告を記憶する記憶手段と、前記表示装置付近を撮影する撮影手段により撮影された前記表示装置付近の映像を複数の領域に分割し、該各領域の映像の変化に基づいて各領域の人の存在を判定し、人が存在すると判定された領域が所定数に達すると、前記撮影手段の撮影エリアに人の集団が有ると判定する判定手段と、前記通行路の順路に従った順に、前記記憶手段に記憶されている前記関連する広告のうちの各表示装置に対応する広告を前記表示装置に表示させる表示手段と、を有し、前記表示手段は、前記広告を表示させる順番の表示装置付近を撮影する撮影手段により撮影された該表示装置付近の撮影エリアに人の集団があると前記判定手段が判定すると、当該表示装置に当該表示装置に対応する広告を表示させることを特徴とする情報表示システムを提供する。
【００１５】
【発明の実施の形態】
以下に本発明の実施の形態を添付図面に基づいて説明する。
【００１６】
＜実施の形態１＞
図１は本発明の情報表示システムの構成を示す図である。
【００１７】
図１において、１０１は情報蓄積手段であるところの映像サーバ、１０２は情報表示手段であるところのディスプレイ、１０３は映像入力手段であるところのビデオカメラ、１０４は集団検知判定手段であるところの映像制御部、１０５は１０１〜１０４間で通信を行うためのネットワーク装置である。
【００１８】
映像サーバ１０１は、ハードディスク等の記録媒体を持つ蓄積装置であり、予め広告等の映像が多数記録されている。コンテンツは少なくとも２つの目的のものに分類される。１つは人が見ている、見ていないに拘らず計画的に配信するコンテンツであり、或る程度長期的に情報提供を行う目的のものである。もう１つはその場にいる人にどうしても伝えたい内容のもので、広告主と契約されその日の特売情報等の短期的に宣伝を行う目的のものである。ここでは、一方を計画配信コンテンツ、他方を割込み配信コンテンツと呼ぶことにする。
【００１９】
ディスプレイ１０２は駅構内の人の目に触れ易い場所に配置され、映像サーバ１０１から送られた映像を表示する。
【００２０】
ビデオカメラ１０３は、ディスプレイ１０２付近に設置され、辺りの映像を取り込んで映像制御部１０４へ送信する。
【００２１】
映像制御部１０４は、送られた信号パターンを解析し、集団の有り無しを判定して判定結果を映像サーバ１０１に送信する。図３を用い集団の有り無し判定方法を説明する。
【００２２】
図３（ａ）〜（ｃ）はビデオカメラ１０３が撮影している構内の様子で順に人が多くなっている。駅構内は通常人がまばらであり、（ａ）のような状態であるため、画面の一部にしか変化がなく、長時間ある特定の信号パターンが継続し、一定時間毎の信号パターンの変化量は少ない。
【００２３】
一方、電車が到着すると多くの人が駅構内を通り抜けるため短時間で（ｃ）のような状態になり、画面全体の信号パターンの（ａ）からの変化量は大きい。（ａ）から（ｂ）への変化量は少ないが、（ａ）から（ｃ）への変化量は大きいので例えば基準値を（ｂ）と（ｃ）の間に設け、一定時間毎の変化量が（ａ）から基準値までよりも大きければ集団が来たと判定し、変化量が小さければ集団が来てないと判定することができる。その結果は映像サーバ１０１に通知する。尚、映像制御部１０４は映像サーバ１０１に内蔵することが装置構成上好ましいが、本発明はそれに限定されるものではなく、ネットワーク上のどこに配置されても構わない。
【００２４】
ネットワーク装置１０５は、１０１〜１０４間を光ファイバ又はツイストペアケーブル等で接続し、映像信号又は制御信号を必要な相手先に伝送している。
【００２５】
尚、映像サーバ１０１、ディスプレイ１０２、ビデオカメラ１０３、映像制御部１０４は、ネットワーク装置１０５に接続する通信インタフェイスを有しているか、或はパソコン等を介してネットワーク装置１０５に接続されるものである。
【００２６】
本システムは例えば駅構内に配置されることが望ましく、駅を利用する人に情報を提供することで広告主である駅周辺のデパート、商店へ客を導くことを目的としている。駅では電車の到着時に駅構内の人通りが多くなり、その他の時間は閑散としていることが多い。効率的に集客をするためには人のいない時間に例えば音楽等を利用して人集めを目的とした情報を流し、人がいる時間には宣伝を目的とした情報を流すことが望ましい。本システムは人の手を借りることなくそれを実現している。
【００２７】
大きな駅にはその電鉄系デパートが隣接していることが多く、その電鉄にとっては駅利用客をデパートへ呼び込みたい要求がある。本システムでは有効な情報表示を行うため、先ず駅構内の人の様子をビデオカメラ１０３で取り込み、ネットワーク装置１０５を介して映像制御部１０４に送り、人が多いかどうかを判断して表示すべきコンテンツを選択する。駅では電車が到着したときに多くの人の流れができるため、それを検知しその人達へ向けてデパートの特売情報等のコンテンツを配信することが集客上有効と考えられる。特に、そのコンテンツは一般的なコマーシャルフィルムのようなものではなく、お店の人が直接訴え掛けるような内容であれば、人の目を引き通勤客の足を止めることができる。
【００２８】
人の流れの判断方法は前述したように取り込んだ映像の信号パターンの変化量を検出することで判定できる。この判定結果は映像サーバ１０１へ送られ、それまで計画的に繰り返し表示されていた計画配信コンテンツに変えて広告主の割込配信コンテンツがディスプレイ１０２に送られて表示される。この割込配信コンテンツは人の流れがディスプレイ前に差し掛かるタイミングで放映するようにすると、一部の人の足を止めることができる。この割り込み情報が一定時間放映された後は元の計画的に配信される情報に切り替えられて放映される。
【００２９】
このようにすると、図１のＡ地点にいる集団が通常はＣ方向に向かうところ、ディスプレイ前Ｂを通り掛かる段階で割込配信コンテンツを提供することで、一部の人を広告主方面Ｄへ導くことができる。
【００３０】
＜実施の形態２＞
図２は実施の形態２のシステム構成を示す図であり、ディスプレイを複数使用し、実施の形態１よりも更に有効な情報表示を行うものである。
【００３１】
図２において、２０１，２０２は第２、第３のディスプレイであり、その他は実施の形態１と同じである。第１、第２、第３のディスプレイ１０２，２０１，２０２は人の流れに沿って配置される。例えば、第２のディスプレイ２０１はホームの階段付近、第１のディスプレイ１０２は改札付近、第３のディスプレイ２０２は広告主近辺に配置される。
【００３２】
電車から降りた客の流れは第２、第１、第３のディスプレイの前を順に通り過ぎる。このとき、実施の形態１のように計画的に配信されている情報に割り込んで特売情報等の割込配信コンテンツを３つのディスプレイに表示する。但し、１つのコンテンツは通常数十秒の情報があるため、歩いている人に全ての情報を伝えることは困難である。
【００３３】
そこで、第２のディスプレイ２０１には情報の導入部を、第１のディスプレイ１０２には情報の中間部を、第３のディスプレイ２０２には情報の終盤部を割り込み情報として配信するようにする。或は最初に大まかな情報を配信し、順に詳細な内容にしても良い。特に、広告主が複数ある場合は第３のディスプレイに道順等を示すと良い。これらの情報は映像サーバ１０１に予めそれぞれのディスプレイに対応した３つの割り込み情報として記録しておき、映像制御部１０４からの指示により計画的に配信されている計画配信コンテンツに割り込んでそれぞれの割込配信コンテンツを配信すれば良い。
【００３４】
尚、ビデオカメラ１０３は第２のディスプレイ２０１付近に配置し、予め人の流れが第１、第３のディスプレイ前を通る時間を測定しておき、人の流れがそれぞれのディスプレイ前を通り掛かる時間にそれぞれの割り込み情報を表示すれば良い。又は、第１、第３のディスプレイ付近にも第２、第３のビデオカメラを設置し、集団を検知した段階で割り込み情報を表示するようにしても良い。但し、第３のディスプレイ前は第２、第１のディスプレイ前よりも人の数が少ないため、第３のディスプレイ前での集団検知の基準値を第２、第１のディスプレイ前よりも低く設定する必要がある。
【００３５】
このようにすると、図２のＡ地点にいる集団が通常はＣ方向に向かうところ、ディスプレイ前Ｂを通り掛かる段階で割込配信コンテンツを提供することで、一部の人を広告主方面Ｄへ導くことができ、更に広告主１又は広告主２へ導くことができる。
【００３６】
＜実施の形態３＞
実施の形態１では、集団が通る場所にディスプレイを配置して広告配信を行う例を示した。本システムでは、集団が通るかどうか分からない場所にも適用できる。
【００３７】
実施の形態１で説明したように通常は計画的に配信される計画配信コンテンツがディスプレイに表示される。計画配信コンテンツは、例えばテレビＣＭのように長期的に広告宣伝を行い、長期間掛けて商品、企業名等を周知させる目的のものや、人集めを目的として音楽等、人の興味を引く情報を配信したりする。
【００３８】
例えば、ミュージックアーティストの映像を流し続ければそれに興味を持つ人たちがディスプレイ前に集まってくることが考えられる。大勢が集まったところで広告等を割り込ませれば、一部の人を広告主の方へ導くことができる。特に、音楽に関係した広告ならば広告主への集客効果は大きなものになる。但し、人は徐々に集まってくるので実施の形態１のように単位時間辺りの変化量を検出する方法では変化量が少なく人が集まったことを検出できない。よって、別の集団検出方法を図４で説明する。
【００３９】
図４（ａ）〜（ｃ）はビデオカメラ１０３がディスプレイ１０２の前を撮影している様子で順に人が多くなっている。映像制御部１０４では入力映像を１６個に分割してそれぞれの領域ことに人の有り無しを判定する。人が映ってない部分は動きが無いため固定パターンが検出される。この人がいないときの固定パターンを１６箇所で登録しておけば、そのパターンと異なるときはその領域に人がいると判定できる。（ａ）では３箇所、（ｂ）では９箇所、（ｃ）では１４箇所に人の一部が映っているので、例えば１２箇所以上に人の一部が検出されれば大勢人が集まっていると判定し、割込み配信コンテンツを選択するようにすれば良い。
【００４０】
このようにすると、ディスプレイ前Ｂに集まった多くに人に有効な広告を配信することができ、一部の人を広告主方面Ｄへ導くことができる。
【００４１】
尚、本実施の形態の集団検知方法を実施の形態１又は２の集団検知方法に適用しても良い。
【００４２】
以上説明したように、このシステムが配置される場所を利用する人に有効な広告を配信し、広告主への集客効果を高めることができる。
【００４３】
又、無駄な時間に広告を配信しないので、広告主の広告負担費用を削減できる。
【００４４】
更に、人手を使うことなく人手を使ったのと同様な効果を生むので、人件費が節約できる。
【発明の効果】
以上のように本発明によれば、システムが配置される場所を利用する人に有効な広告等の情報を有効に配信し、広告主等への集客効果を高めることができる。例えば、通行路に沿って配置された複数の表示装置の夫々に通行路の順路に従った順に時間的にずらして、関連する広告を表示するので、初めの表示装置には広告の導入部を、次の表示装置には中間部を、次の表示装置には終盤部を表示されたり、初めの表示装置には大まかな情報の広告を表示させ、順に詳細な情報の広告を表示されたりでき、広告主方面への誘導など、より効果的な広告表示を行える。
【図面の簡単な説明】
【図１】本発明の実施の形態１のシステム構成を示す図である。
【図２】本発明の実施の形態２のシステム構成を示す図である。
【図３】本発明の実施の形態１の集団検知方法を説明する図である。
【図４】本発明の実施の形態３の集団検知方法を示す図である。
【符号の説明】
１０１    映像サーバ
１０２，２０１，２０２  ディスプレイ
１０３    ビデオカメラ
１０４    映像制御部
１０５    ネットワーク装置
【図１】
0004464054.tif 000002
【図２】
0004464054.tif 000003
【図３】
0004464054.tif 000004
【図４】
0004464054.tif 000005